(57)【特許請求の範囲】
【請求項１】
処理回路（１３２０、１４２０）を含む無線送信機（１１０、１２０）であって、前記処理回路は、
物理チャネル送信を介して前記無線送信機と無線受信機との間で通信されるトランスポートブロックのトランスポートブロックサイズ（ＴＢＳ）を、式を使用して決定し、
決定した前記ＴＢＳに従って前記トランスポートブロックを送信する様に構成され、
前記式は、凡そのトランスポートブロックサイズＴＢＳ０に前記トランスポートブロックに付加されたＣＲＣビットの数Ｌ２を加えた値と、閾値サイズＺとの比較に基づく、無線送信機。
【請求項２】
請求項１に記載の無線送信機であって、
前記式は、さらに、コードブロックの数Ｃに基づき、
ＴＢＳ０に数Ｌ２を加えた値が前記閾値サイズＺより大きい場合、前記式は、ＴＢＳ０＋Ｌ２をＣ×Ａで除算し、最も近い整数に切り上げ、その結果にＣ×Ａを乗ずることを含み、Ａは定数である、無線送信機。
【請求項３】
請求項２に記載の無線送信機であって、
Ａは１及び８のうちの１つである、無線送信機。
【請求項４】
請求項２又は３に記載の無線送信機であって、
前記式は、さらに、Ｃ個の前記コードブロックのそれぞれに付加されたＣＲＣビットの数Ｌ３に基づき、ＴＢＳ０＋Ｌ２をＺ−Ｌ３で除算し、最も近い整数に切り上げることに基づきＣを決定することを含む、無線送信機。
【請求項５】
請求項１から４のいずれか１項に記載の無線送信機であって、
前記式は、Ｌ２を引くことで前記ＴＢＳを決定することを含む、無線送信機。
【請求項６】
請求項１から５のいずれか１項に記載の無線送信機であって、
ＴＢＳ０に数Ｌ２を加えた値が前記閾値サイズＺより小さい場合、前記式は、定数Ａに対してＡ×ｃｅｉｌ（ＴＢＳ０／Ａ）を計算することを含み、オプションとしてＡ＝８である、無線送信機。
【請求項７】
請求項４に記載の無線送信機であって、
Ｌ２は０、８、１６及び２４の内の１つであり、
Ｌ３は０、８、１６及び２４の内の１つであり、
Ｚは３８４０及び８４４８の内の１つである、無線送信機。
【請求項８】
請求項２から４のいずれか１項に記載の無線送信機であって、
前記処理回路は、サイズＴＢＳの前記トランスポートブロックをＣ個の等しいサイズのコードブロックにセグメント化する様にさらに構成され、前記処理回路は、前記Ｃ個の等しいサイズのコードブロックを無線受信機に送信することにより、決定された前記ＴＢＳに従って前記トランスポートブロックを送信する様に動作可能である、無線送信機。
【請求項９】
請求項１から８のいずれか１項に記載の無線送信機であって、
前記式は、物理リソースブロック数、物理リソースブロック当たりのリソース要素数、レイヤ数、変調次数及びコードレートの１つ以上の関数に基づいて前記凡そのトランスポートブロックサイズを決定することにより、利用可能な送信リソースに基づいてＴＢＳ０を決定することを含む、無線送信機。
【請求項１０】
請求項１から８のいずれか１項に記載の無線送信機であって、
前記式は、送信に利用可能なシンボル数及びルックアップテーブルに基づいて前記凡そのトランスポートブロックサイズを決定することにより、利用可能な送信リソースに基づいてＴＢＳ０を決定することを含む、無線送信機。
【請求項１１】
請求項１から１０のいずれか１項に記載の無線送信機であって、
前記無線送信機は、基地局である、無線送信機。
【請求項１２】
請求項１から１０のいずれか１項に記載の無線送信機であって、
前記無線送信機は、ユーザ装置である、無線送信機。
【請求項１３】
無線送信機で使用する方法であって、
物理チャネル送信を介して前記無線送信機と無線受信機との間で通信されるトランスポートブロックのトランスポートブロックサイズ（ＴＢＳ）を、式を使用して決定する（５１２）ことと、
決定した前記ＴＢＳに従って前記トランスポートブロックを送信する（５１６）ことと、
を含み、
前記式は、凡そのトランスポートブロックサイズＴＢＳ０に前記トランスポートブロックに付加されたＣＲＣビットの数Ｌ２を加えた値と、閾値サイズＺとの比較に基づく、方法。
【請求項１４】
請求項１３に記載の方法であって、
前記式は、さらに、コードブロックの数Ｃに基づき、
ＴＢＳ０に数Ｌ２を加えた値が前記閾値サイズＺより大きい場合、前記式は、ＴＢＳ０＋Ｌ２をＣ×Ａで除算し、最も近い整数に切り上げ、その結果にＣ×Ａを乗ずることを含み、Ａは定数である、方法。
【請求項１５】
請求項１４に記載の方法であって、
Ａは１及び８の内の１つである、方法。
【請求項１６】
請求項１４又は１５に記載の方法であって、
前記式は、さらに、Ｃ個の前記コードブロックのそれぞれに付加されたＣＲＣビットの数Ｌ３に基づき、ＴＢＳ０＋Ｌ２をＺ−Ｌ３で除算し、最も近い整数に切り上げることに基づきＣを決定することを含む、方法。
【請求項１７】
請求項１３から１６のいずれか１項に記載の方法であって、
前記式は、Ｌ２を引くことで前記ＴＢＳを決定することを含む、方法。
【請求項１８】
請求項１３から１７のいずれか１項に記載の方法であって、
ＴＢＳ０に数Ｌ２を加えた値が前記閾値サイズＺより小さい場合、前記式は、定数Ａに対してＡ×＊ｃｅｉｌ（ＴＢＳ０／Ａ）を計算することを含み、オプションとしてＡ＝８である、方法。
【請求項１９】
請求項１６に記載の方法であって、
Ｌ２は０、８、１６及び２４の内の１つであり、
Ｌ３は０、８、１６及び２４の内の１つであり、
Ｚは３８４０及び８４４８の内の１つである、方法。
【請求項２０】
請求項１４から１６のいずれか１項に記載の方法であって、
サイズＴＢＳの前記トランスポートブロックをＣ個の等しいサイズのコードブロックにセグメント化する（５１４）ことをさらに含み、前記トランスポートブロックを送信することは、前記Ｃ個の等しいサイズのコードブロックを無線受信機に送信することを含む、方法。
【請求項２１】
請求項１３から２０のいずれか１項に記載の方法であって、
前記式は、物理リソースブロック数、物理リソースブロック当たりのリソース要素数、レイヤ数、変調次数及びコードレートの１つ以上の関数に基づいて前記凡そのトランスポートブロックサイズを決定することにより、利用可能な送信リソースに基づいてＴＢＳ０を決定することを含む、方法。
【請求項２２】
請求項１３から２０のいずれか１項に記載の方法であって、
前記式は、送信に利用可能なシンボル数及びルックアップテーブルに基づいて前記凡そのトランスポートブロックサイズを決定することにより、利用可能な送信リソースに基づいてＴＢＳ０を決定することを含む、方法。
【請求項２３】
請求項１３から２２のいずれか１項に記載の方法であって、
前記無線送信機は、ネットワークノードである、方法。
【請求項２４】
請求項１３から２２のいずれか１項に記載の方法であって、
前記無線送信機は、無線デバイスである、方法。
【請求項２５】
処理回路（１３２０、１４２０）を含む無線受信機（１１０、１２０）であって、前記処理回路は、
無線送信機からの物理チャネル送信を介して、トランスポートブロックに対応する無線信号を受信し、
式を使用して、トランスポートブロックサイズ（ＴＢＳ）を決定し、
前記トランスポートブロックを取得するために前記無線信号を復号する様に動作可能であり、
前記式は、凡そのトランスポートブロックサイズＴＢＳ０に前記トランスポートブロックに付加されたＣＲＣビットの数Ｌ２を加えた値と、閾値サイズＺとの比較に基づく、無線受信機。
【請求項２６】
請求項２５に記載の無線受信機であって、
前記式は、さらに、コードブロックの数Ｃに基づき、
ＴＢＳ０に数Ｌ２を加えた値が前記閾値サイズＺより大きい場合、前記式は、ＴＢＳ０＋Ｌ２をＣ×Ａで除算し、最も近い整数に切り上げ、その結果にＣ×Ａを乗ずることを含み、Ａは定数である、無線受信機。
【請求項２７】
請求項２６に記載の無線受信機であって、
Ａは１及び８の内の１つである、無線受信機。
【請求項２８】
請求項２６又は２７に記載の無線受信機であって、
前記式は、さらに、Ｃ個の前記コードブロックのそれぞれに付加されたＣＲＣビットの数Ｌ３に基づき、ＴＢＳ０＋Ｌ２をＺ−Ｌ３で除算し、最も近い整数に切り上げることに基づきＣを決定することを含む、無線受信機。
【請求項２９】
請求項２５から２８のいずれか１項に記載の無線受信機であって、
前記式は、Ｌ２を引くことで前記ＴＢＳを決定することを含む、無線受信機。
【請求項３０】
請求項２５から２９のいずれか１項に記載の無線受信機であって、
ＴＢＳ０に数Ｌ２を加えた値が前記閾値サイズＺより小さい場合、前記式は、定数Ａに対してＡ×ｃｅｉｌ（ＴＢＳ０／Ａ）を計算することを含み、オプションとしてＡ＝８である、無線受信機。
【請求項３１】
請求項２８に記載の無線受信機であって、
Ｌ２は０、８、１６及び２４の内の１つであり、
Ｌ３は０、８、１６及び２４の内の１つであり、
Ｚは３８４０及び８４４８の内の１つである、無線受信機。
【請求項３２】
請求項２６から２８のいずれか１項に記載の無線受信機であって、
前記処理回路は、サイズＴＢＳの前記トランスポートブロックをＣ個の等しいサイズのコードブロックにセグメント化する様にさらに動作可能であり、前記処理回路は、前記Ｃ個の等しいサイズの前記コードブロックを復号し、復号された前記コードブロックを前記トランスポートブロックに結合することにより、前記無線信号を復号する様に動作可能である、無線受信機。
【請求項３３】
請求項２５から３２のいずれか１項に記載の無線受信機であって、
前記式は、物理リソースブロック数、物理リソースブロック当たりのリソース要素数、レイヤ数、変調次数及びコードレートの１つ以上の関数に基づいて前記凡そのトランスポートブロックサイズを決定することにより、利用可能な送信リソースに基づいてＴＢＳ０を決定することを含む、無線受信機。
【請求項３４】
請求項２５から３２のいずれか１項に記載の無線受信機であって、
前記式は、送信に利用可能なシンボル数及びルックアップテーブルに基づいて前記凡そのトランスポートブロックサイズを決定することにより、利用可能な送信リソースに基づいてＴＢＳ０を決定することを含む、無線受信機。
【請求項３５】
請求項２５から３４のいずれか１項に記載の無線受信機であって、
前記無線受信機は、基地局である、無線受信機。
【請求項３６】
請求項２５から３４のいずれか１項に記載の無線受信機であって、
前記無線受信機は、ユーザ装置である、無線受信機。
【請求項３７】
無線受信機で使用する方法であって、
無線送信機からの物理チャネル送信を介して、トランスポートブロックに対応する無線信号を受信する（６１２）ことと、
式を使用して、トランスポートブロックサイズ（ＴＢＳ）を決定する（６１４）ことと、
前記トランスポートブロックを取得するために前記無線信号を復号する（６１８）ことと、
を含み、
前記式は、凡そのトランスポートブロックサイズＴＢＳ０に前記トランスポートブロックに付加されたＣＲＣビットの数Ｌ２を加えた値と、閾値サイズＺとの比較に基づく、方法。
【請求項３８】
請求項３７に記載の方法であって、
前記式は、さらに、コードブロックの数Ｃに基づき、
ＴＢＳ０に数Ｌ２を加えた値が前記閾値サイズＺより大きい場合、前記式は、ＴＢＳ０＋Ｌ２をＣ×Ａで除算し、最も近い整数に切り上げ、その結果にＣ×Ａを乗ずることを含み、Ａは定数である、方法。
【請求項３９】
請求項３８に記載の方法であって、
Ａは１及び８の内の１つである、方法。
【請求項４０】
請求項３８又は３９に記載の方法であって、
前記式は、さらに、Ｃ個の前記コードブロックのそれぞれに付加されたＣＲＣビットの数Ｌ３に基づき、ＴＢＳ０＋Ｌ２をＺ−Ｌ３で除算し、最も近い整数に切り上げることに基づきＣを決定することを含む、方法。
【請求項４１】
請求項３７から４０のいずれか１項に記載の方法であって、
前記式は、Ｌ２を引くことで前記ＴＢＳを決定することを含む、方法。
【請求項４２】
請求項３７から４１のいずれか１項に記載の方法であって、
ＴＢＳ０に数Ｌ２を加えた値が前記閾値サイズＺより小さい場合、前記式は、定数Ａに対してＡ×ｃｅｉｌ（ＴＢＳ０／Ａ）を計算することを含み、オプションとしてＡ＝８である、方法。
【請求項４３】
請求項４０に記載の方法であって、
Ｌ２は０、８、１６及び２４の内の１であり、
Ｌ３は０、８、１６及び２４の内の１つであり、
Ｚは３８４０及び８４４８の内の１つである、方法。
【請求項４４】
請求項３８から４０のいずれか１項に記載の方法であって、
サイズＴＢＳの前記トランスポートブロックをＣ個の等しいサイズのコードブロックにセグメント化する（６１６）ことをさらに含み、前記無線信号を復号することは、前記Ｃ個の等しいサイズの前記コードブロックを復号し、復号された前記コードブロックを前記トランスポートブロックに結合することを含む、方法。
【請求項４５】
請求項３７から４４のいずれか１項に記載の方法であって、
前記式は、物理リソースブロック数、物理リソースブロックあたりのリソース要素数、レイヤ数、変調次数、コードレートの１つ以上の関数に基づいて前記凡そのトランスポートブロックサイズを決定することにより、利用可能な送信リソースに基づいてＴＢＳ０を決定することを含む、方法。
【請求項４６】
請求項３７から４４のいずれか１項に記載の方法であって、
前記式は、送信に利用可能なシンボル数及びルックアップテーブルに基づいて前記凡そのトランスポートブロックサイズを決定することにより、利用可能な送信リソースに基づいてＴＢＳ０を決定することを含む、方法。
【請求項４７】
請求項３７から４６のいずれか１項に記載の方法であって、
前記無線受信機は、基地局である、方法。
【請求項４８】
請求項３７から４６のいずれか１項に記載の方法であって、
前記無線受信機は、ユーザ装置である、方法。
【請求項４９】
決定モジュール（１３５４、１４５４）及び送信モジュール（１３５２、１４５２）を含む無線送信機（１１０、１２０）であって、
前記決定モジュールは、物理チャネル送信を介して前記無線送信機と無線受信機との間で通信されるトランスポートブロックのトランスポートブロックサイズ（ＴＢＳ）を、式を使用して決定する様に動作可能であり、
前記送信モジュールは、決定された前記ＴＢＳに従って前記トランスポートブロックを送信する様に動作可能であり、
前記式は、凡そのトランスポートブロックサイズＴＢＳ０に前記トランスポートブロックに付加されたＣＲＣビットの数Ｌ２を加えた値と、閾値サイズＺとの比較に基づく、無線送信機。
【請求項５０】
受信モジュール（１３５０、１４５０）及び決定モジュール（１３５４、１４５４）を含む無線受信機（１１０、１２０）であって、
前記受信モジュールは、無線送信機からの物理チャネル送信を介して、トランスポートブロックに対応する無線信号を受信する様に動作可能であり、
前記決定モジュールは、
式を使用して、トランスポートブロックサイズ（ＴＢＳ）を決定し、
前記トランスポートブロックを取得するために前記無線信号を復号する様に動作可能であり、
前記式は、凡そのトランスポートブロックサイズＴＢＳ０に前記トランスポートブロックに付加されたＣＲＣビットの数Ｌ２を加えた値と、閾値サイズＺとの比較に基づく、無線受信機。
【発明の詳細な説明】
【技術分野】
【０００１】
特定の実施形態は、無線通信に関し、より詳細には、等しいサイズのコードブロックのためのトランスポートブロックサイズを決定することに関する。
【背景技術】
【０００２】
ＵＥ（ユーザ装置）、端末、ハンドセットなどの用語は、ネットワークインフラストラクチャと通信するデバイスを示すために交換可能に使用され得る。この用語は、特定のタイプのデバイスを意味すると解釈すべきではなく、それら総てに適用され、本明細書に記載の実施形態は、記載の問題を解決するための実施形態を使用し得る総てのデバイスに適用可能である。
【０００３】
同様に、基地局は、ＵＥと通信するネットワークインフラストラクチャ内のノードを示すことを目的としている。異なる名前が適用される可能性があり、基地局の機能も様々な方法で分散され得る。たとえば、無線ヘッドは無線プロトコルの一部を終端し、中央ユニットは無線プロトコルの他の部分を終端し得る。本開示は、本明細書におけるそのような実装を区別しない。基地局という用語は、本明細書で説明される実施形態を実装できる総ての代替アーキテクチャを参照する。
【０００４】
第３世代パートナーシッププロジェクト（３ＧＰＰ）は、第５世代（５Ｇ）ネットワークのためのニューレディオ（ＮＲ）インターフェイスについて記述する。この新しい次世代テクノロジーを示す用語は未だ収束していないため、ＮＲと５Ｇという用語は同じ意味で使用される場合がある。さらに、基地局は、ｅＮＢではなくｇＮＢと呼ばれ得る。また、送受信ポイント（ＴＲＰ）という用語も使用され得る。
【０００５】
ＮＲ無線スロットは、幾つかの直交周波数分割多重（ＯＦＤＭ）シンボルで構成される。スロットは、６０ｋＨｚ未満のＯＦＤＭサブキャリア間隔では７又は１４シンボルを含み、６０ｋＨｚより大きいＯＦＤＭサブキャリア間隔では１４シンボルを含む。図１は、１４個のＯＦＤＭシンボルを持つサブフレームを示している。図１において、Ｔｓ及びＴｓｙｍｂは、それぞれ、スロット及びＯＦＤＭシンボル期間を示している。さらに、ダウンリンク／アップリンクの過渡期間、又は、ダウンリンクとアップリンクの両方の送信に対応するために、スロットを短くすることができる。潜在的な変動を図２に示す。
【０００６】
さらに、ＮＲはミニスロットも定義する。ミニスロットはスロットよりも短く（現在の合意によると、ミニスロットは、１又は２個のシンボルから、スロット内のシンボルの数から１を引いた数までのシンボルを含む。）、どのシンボルからでも開始できる。ミニスロットは、スロットの送信期間が長すぎる場合、又は、次のスロット開始の発生が遅すぎる場合に使用される（スロット調整）。ミニスロットのアプリケーションは、特に、遅延が重要な伝送（この場合、ミニスロットの長さとミニスロットの頻繁な機会の両方が重要）と、リッスンビフォアトークが成功した直後に伝送が開始される免許不要のスペクトルと、を含む（ここではミニスロットの頻繁な機会が特に重要）。ミニスロットの例を図３に示す。
【０００７】
ＰＤＣＣＨ（物理ダウンリンク制御チャネル）は、ＮＲにおいて、例えば、ダウンリンクスケジューリング割り当てやアップリンクスケジューリング許可等の、ダウンリンク制御情報（ＤＣＩ）で使用される。ＰＤＣＣＨは、通常、スロットの先頭で送信され、同じスロット又はそれ以降のスロットのデータに関連する（ミニスロットの場合、ＰＤＣＣＨは通常のスロット内でも送信され得る）。ＰＤＣＣＨの様々なフォーマット（サイズ）は、様々なＤＣＩペイロードサイズと、様々な集約レベル（つまり、特定のペイロードサイズに対する様々なコードレート）を処理するために可能である。ＵＥは、様々な集約レベルとＤＣＩペイロードサイズの複数のＰＤＣＣＨ候補を監視（又は検索）する様に（暗黙的及び／又は明示的に）構成される。有効なＤＣＩメッセージを検出する（つまり、候補のデコードが成功し、ＤＣＩにＵＥが監視する様に指示されたＩＤが含まれる）と、ＵＥはＤＣＩに従う（たとえば、対応するダウンリンクデータを受信するか、アップリンクで送信する）。
【０００８】
ＮＲは、複数のユーザにより受信されるブロードキャスト制御チャネルを含み得る。チャネルはグループ共通ＰＤＣＣＨとして参照され得る。そのようなチャネルに入れられる情報の一例は、スロットフォーマットに関する情報である（つまり、特定のスロットがアップリンクであるかダウンリンクであるか、スロットのどの部分がアップリンクであるかダウンリンクであるか、動的時分割複信（ＴＤＤ）システムにおいて有用であり得る情報）。
【０００９】
ダウンリンク制御情報（ＤＣＩ）は、ダウンリンク送信を受信する方法又はアップリンクで送信する方法をＵＥに指示するための幾つかのパラメータを搬送する。たとえば、周波数分割複信（ＦＤＤ）のロングタームエボリューション（ＬＴＥ）のＤＣＩフォーマット１Ａは、ローカライズ／分散仮想リソースブロック（ＶＲＢ）割り当てフラグ、リソースブロック割り当て、変調及び符号化スキーム（ＭＣＳ）、ハイブリッド自動再送要求（ＨＡＲＱ）プロセス番号、ニューデータインジケータ（ＮＤＩ）、冗長バージョン、及び、物理アップリンク制御チャネル（ＰＵＣＣＨ）の送信電力制御（ＴＰＣ）コマンドの様なパラメータを搬送する。
【００１０】
ＵＥがシステムで送受信するための重要なパラメータの１つは、チャネル符号化及び変調されるデータブロックのサイズ（トランスポートブロックサイズと呼ばれる）である。ＬＴＥでは、これは次の様に決定される。ＵＥは、ＤＣＩで指定されたＭＣＳを使用して、ＭＣＳテーブルからトランスポートブロックサイズ（ＴＢＳ）インデックスＩＴＢＳを読み取る。ＭＣＳテーブルの例を以下の表１に示す。ＵＥは、ＤＣＩのリソースブロック割り当てから物理リソースブロック（ＰＲＢ）の数をＮＰＲＢとして決定する。ＵＥは、ＴＢＳインデックスＩＴＢＳとＰＲＢの数ＮＰＲＢを使用して、ＴＢＳテーブルから実際のトランスポートブロックサイズを読み取る。ＴＢＳテーブルの一部を、例として以下の表２に示す。
【００１１】
【表１】
0006975839.tif 000002
【００１２】
【表２】
0006975839.tif 000003
【発明の概要】
【発明が解決しようとする課題】
【００１３】
ＬＴＥのアプローチは、以下で説明する幾つかの問題を有する。最初の問題は、ＬＴＥＴＢＳテーブルが元々、割り当てられた各ＰＲＢ内で利用可能なリソース要素（ＲＥ）の数とデータ送信用のＯＦＤＭシンボルの数に関する特定の仮定で設計されていることである。異なる量の参照シンボルオーバヘッドを持つ異なる伝送モードがＬＴＥで後に導入されたとき、新しい伝送モードに最適な別のＴＢＳテーブルを定義することが困難になった。３ＧＰＰ参加者は、幾つかの限られた場合において最適化するため、ＬＴＥのＴＢＳテーブルに幾つかの新しい行を導入することで妥協した。ただし、明示的なＴＢＳテーブルアプローチは、ＬＴＥシステムの継続的な進化と改善を妨げる。
【００１４】
もう１つの問題は、データブロックサイズを決定する既存のアプローチでは、様々なスロットサイズ又は構造での高性能動作が得られないことである。ＬＴＥのサブフレームは様々なサイズになる可能性があるため、これはＬＴＥシステムの既知の問題である。通常のサブフレームは、異なるサイズの制御領域を有し得るので、データ領域のサイズも異なる。ＴＤＤのＬＴＥは、ＴＤＤスペシャルサブフレームのダウンリンク部分（ＤｗＰＴＳ）で様々なサイズをサポートする。サブフレームの様々なサイズを以下の表３に要約する。
【００１５】
ただし、ＬＴＥのＭＣＳ及びＴＢＳテーブルは、データ送信に１１個のＯＦＤＭシンボルが利用可能であるという仮定に基づいて設計されている。物理ダウンリンク共有チャネル（ＰＤＳＣＨ）で利用可能なＯＦＤＭシンボルの実際の数が１１と異なる場合、送信のスペクトル効率は、以下の表４に示すものから外れることになる。
【００１６】
まず、ＰＤＳＣＨのＯＦＤＭシンボルの実際の数が想定した１１シンボルよりも大幅に少ない場合、コードレートが過度に高くなる。これらのケースは、表４において太字で強調表示されている。ＬＴＥにおいて、ＵＥは、０．９３０より高い実効コードレートでＰＤＳＣＨ送信をデコードすることについては期待されていない。移動局はこのような高いコードレートをデコードできないため、これらの太字タイプのＭＣＳに基づく送信は失敗し、再送信が必要になる。
【００１７】
第二に、無線リソースの仮定が一致しないため、一部のＭＣＳのコードレートは、広帯域無線システムの最適な範囲から外れる。例としてダウンリンク伝送の広範なリンクパフォーマンス評価に基づいて、ＱＰＳＫ及び１６ＱＡＭのコードレートは０．７０を超えてはならない。さらに、１６ＱＡＭ及び６４ＱＡＭのコードレートは、それぞれ０．３２及び０．４０を下回らない様にする必要がある。下線付きのタイプで示されている様に、表４のＭＣＳの一部は、最適ではないコードレートになる。
【００１８】
伝送が不適切又は準最適なコードレートに基づいている場合、データスループットが低下するため、基地局での適切なスケジューリング実装では、表４に示す太字又は下線付きのＭＣＳの使用を避けるべきである。したがって、ＰＤＳＣＨのＯＦＤＭシンボルの実際の数が想定された１１シンボルから逸脱すると、使用可能なＭＣＳの数は大幅に縮小する。
【００１９】
【表３】
0006975839.tif 000004
【００２０】
【表４】
0006975839.tif 000005
【００２１】
上述した様に、ＮＲのスロット構造は、ＵＥが受信又は送信するための割り当て量の範囲がはるかに大きく、ＬＴＥよりも柔軟になる傾向がある。ＴＢＳテーブルを設計する利点は大幅に減少する。
【００２２】
これらの問題を解決するために、テーブルではなく式を使用してＴＢＳを決定するための提案が行われた。一例において、ＴＢＳを以下の様に決定する。
【００２３】
【数１】
0006975839.tif 000006
ここで、
・νはコードワードがマッピングされるレイヤ数
・ＮＤＬ，ＰＲＢＲＥは、ＰＤＳＣＨの伝送に使用可能なスロット／ミニスロット毎のＰＲＢ辺りのＲＥ数
・ＮＰＲＢは、割り当てられたＰＲＢ数
・変調次数Ｑｍ及びターゲットコードレートＲは、ＤＣＩで通知されたＩＭＣＳに基づいてＭＣＳテーブルから読み取られる
・ＴＢＳが８の倍数になる様に、Ａの例示的な値は８
【００２４】
ここでは、ＮＰＲＢ、ＮＤＬ，ＰＲＢＲＥ、ν、Ｑｍ及びＲは、ＤＣＩを介して通知されるか、上位層を介して構成される。
【００２５】
既存の解決策の問題は、ＬＴＥトランスポートブロックサイズ（ＴＢＳ）テーブルが設計されているため、コードブロックのセグメント化が実行されると、セグメント化後、総てのコードブロックが同じサイズになることである。このプロパティは、実装を容易にするために望ましい。ただし、上記のような式が適用される場合、このプロパティは必ずしも満たされない。
【課題を解決するための手段】
【００２６】
本明細書で説明する実施形態は、総てのコードブロックが同じサイズを有することを保証する様に、トランスポートブロックサイズ（ＴＢＳ）決定のための式を修正する。
【００２７】
幾つかの実施形態によると、無線送信機（例えば、ネットワークノード、ユーザ装置（ＵＥ）など）は、物理チャネル送信を介して無線送信機と無線受信機との間で通信されるトランスポートブロックのＴＢＳを決定する様に動作可能な処理回路を備える。ＴＢＳの決定では、ＣＲＣビットを考慮した式を使用する。処理回路はさらに、決定されたＴＢＳに従ってトランスポートブロックを送信する様に動作可能である。
【００２８】
特定の実施形態において、処理回路は、サイズＴＢＳのトランスポートブロックをＣ個の等しいサイズのコードブロックにセグメント化する様にさらに構成される。処理回路は、Ｃ個の等しいサイズのコードブロックを無線受信機に送信することにより、決定されたＴＢＳに従ってトランスポートブロックを送信する様に動作可能である。
【００２９】
幾つかの実施形態によると、無線送信機で使用する方法は、物理チャネル送信を介して無線送信機と無線受信機との間で通信されるトランスポートブロックのＴＢＳを決定することを含む。ＴＢＳの決定では、ＣＲＣビットを考慮した式を使用する。方法は、さらに、決定されたＴＢＳに従ってトランスポートブロックを送信することを含む。
【００３０】
特定の実施形態において、方法は、サイズＴＢＳのトランスポートブロックをＣ個の等しいサイズのコードブロックにセグメント化することをさらに含む。トランスポートブロックの送信は、Ｃ個の等しいサイズのコードブロックを無線受信機に送信することを含む。
【００３１】
特定の実施形態において、ＣＲＣビットは、トランスポートブロックＣＲＣビット及びコードセグメント化ＣＲＣビットのうちの少なくとも１つを含む。式は、凡そのトランスポートブロックサイズＴＢＳ０、コードブロックの数Ｃ、及び、トランスポートブロックに付加されたＣＲＣビットの数Ｌ２と、Ｃ個のコードブロックのそれぞれに付加されたＣＲＣビットの数Ｌ３との少なくとも１つを含む。
【００３２】
特定の実施形態において、式は、ＴＢＳ０にトランスポートブロックに付加されたＣＲＣビットの数を加えた値と、閾値サイズＺとの比較に基づいている。ＴＢＳ０にトランスポートブロックに付加されたＣＲＣビットの数を加えた値が閾値サイズＺより大きい場合、式は、ＴＢＳ０＋Ｌ２をＣで除算し、最も近い整数に切り上げ、結果にＣを乗ずることを含む。あるいは、ＴＢＳ０にトランスポートブロックに付加されたＣＲＣビット数を加えた値が閾値サイズＺより大きい場合、式は、ＴＢＳ０＋Ｌ２をＣ×Ａで除算し、最も近い整数に切り上げ、結果にＣ×Ａを乗ずることを含み、ここで、Ａは定数である。
【００３３】
ＴＢＳ０にトランスポートブロックに付加されたＣＲＣビット数を加えた値が閾値サイズＺより小さい場合、式は、定数Ａに対してＡ×ｃｅｉｌ（ＴＢＳ０／Ａ）を計算することを含み、ここで、オプションとしてＡ＝８である。
【００３４】
特定の実施形態において、式は、ＴＢＳ０＋Ｌ２をＺ−Ｌ３で割り、最も近い整数に切り上げることに基づきＣを決定することを含む。式は、Ｌ２を引くことでＴＢＳを決定することを含み得る。Ａは１と８の内の１つであり得る。Ｌ２は０、８、１６及び２４の内の１つであり得る。Ｌ３は０、８、１６及び２４の内の１つであり得る。Ｚは３８４０及び８４４８の内の１つであり得る。
【００３５】
特定の実施形態において、式は、物理リソースブロック数、物理リソースブロック当たりのリソース要素数、レイヤ数、変調次数、コードレートの１つ以上の関数に基づいて凡そのトランスポートブロックサイズを決定することにより、利用可能な送信リソースに基づいてＴＢＳ０を決定することを含む。幾つかの実施形態において、式は、送信に利用可能なシンボル数及びルックアップテーブルに基づいて凡そのトランスポートブロックサイズを決定することにより、利用可能な送信リソースに基づいてＴＢＳ０を決定することを含む。
【００３６】
特定の実施形態において、無線送信機は、ネットワークノード（例えば、基地局）又は無線デバイス（例えば、ＵＥ）である。
【００３７】
幾つかの実施形態によると、無線受信機は、無線送信機からの物理チャネル送信を介して無線信号を受信する様に動作可能な処理回路を備える。無線信号はトランスポートブロックに対応する。処理回路は、ＣＲＣビットを考慮した式を使用してＴＢＳを決定し、トランスポートブロックを取得するために無線信号を復号する様に動作可能である。
【００３８】
特定の実施形態において、処理回路は、サイズＴＢＳのトランスポートブロックをＣ個の等しいサイズのコードブロックにセグメント化する様にさらに動作可能である。処理回路は、Ｃ個の等しいサイズのコードブロックを復号し、復号されたコードブロックを結合してトランスポートブロックとすることにより、無線信号を復号する様に動作可能である。
【００３９】
幾つかの実施形態によると、無線受信機で使用する方法は、無線送信機からの物理チャネル送信を介して無線信号を受信することを含む。無線信号はトランスポートブロックに対応する。方法は、ＣＲＣビットを考慮した式を使用してＴＢＳを決定し、トランスポートブロックを取得するために無線信号を復号することをさらに含む。
【００４０】
特定の実施形態において、方法は、サイズＴＢＳのトランスポートブロックをＣ個の等しいサイズのコードブロックにセグメント化することをさらに含む。無線信号を復号することは、Ｃ個の等しいサイズのコードブロックを復号し、復号されたコードブロックを結合してトランスポートブロックとすることを含む。
【００４１】
特定の実施形態において、ＣＲＣビットは、トランスポートブロックＣＲＣビット及びコードセグメント化ＣＲＣビットのうちの少なくとも１つを含む。式は、凡そのトランスポートブロックサイズＴＢＳ０、コードブロックの数Ｃ、及び、トランスポートブロックに付加されたＣＲＣビットの数Ｌ２と、Ｃ個のコードブロックのそれぞれに付加されたＣＲＣビットの数Ｌ３との少なくとも１つを含む。
【００４２】
特定の実施形態において、式は、ＴＢＳ０にトランスポートブロックに付加されたＣＲＣビットの数を加えた値と、閾値サイズＺとの比較に基づいている。ＴＢＳ０にトランスポートブロックに付加されたＣＲＣビットの数を加えた値が閾値サイズＺより大きい場合、式は、ＴＢＳ０＋Ｌ２をＣで除算し、最も近い整数に切り上げ、結果にＣを乗ずることを含む。あるいは、ＴＢＳ０にトランスポートブロックに付加されたＣＲＣビット数を加えた値が閾値サイズＺより大きい場合、式は、ＴＢＳ０＋Ｌ２をＣ×Ａで除算し、最も近い整数に切り上げ、結果にＣ×Ａを乗ずることを含み、ここで、Ａは定数である。
【００４３】
ＴＢＳ０にトランスポートブロックに付加されたＣＲＣビット数を加えた値が閾値サイズＺより小さい場合、式は、定数Ａに対してＡ×ｃｅｉｌ（ＴＢＳ０／Ａ）を計算することを含み、ここで、オプションとしてＡ＝８である。
【００４４】
特定の実施形態において、式は、ＴＢＳ０＋Ｌ２をＺ−Ｌ３で割り、最も近い整数に切り上げることに基づきＣを決定することを含む。式は、Ｌ２を引くことでＴＢＳを決定することを含み得る。Ａは１と８の内の１つであり得る。Ｌ２は０、８、１６及び２４の内の１つであり得る。Ｌ３は０、８、１６及び２４の内の１つであり得る。Ｚは３８４０及び８４４８の内の１つであり得る。
【００４５】
特定の実施形態において、式は、物理リソースブロック数、物理リソースブロック当たりリソース要素数、レイヤ数、変調次数、コードレートの１つ以上の関数に基づいて凡そのトランスポートブロックサイズを決定することにより、利用可能な送信リソースに基づいてＴＢＳ０を決定することを含む。幾つかの実施形態において、式は、送信に利用可能なシンボル数及びルックアップテーブルに基づいて凡そのトランスポートブロックサイズを決定することにより、利用可能な送信リソースに基づいてＴＢＳ０を決定することを含む。
【００４６】
特定の実施形態において、無線受信機は、ネットワークノード（例えば、基地局）又は無線デバイス（例えば、ＵＥ）である。
【００４７】
幾つかの実施形態によると、無線送信機は、決定モジュール及び送信モジュールを備える。決定モジュールは、物理チャネル送信を介して無線送信機と無線受信機との間で通信されるトランスポートブロックのＴＢＳを決定する様に動作可能である。ＴＢＳの決定では、ＣＲＣビットを考慮した式を使用する。送信モジュールは、決定されたＴＢＳに従ってトランスポートブロックを送信する様に動作可能である。
【００４８】
幾つかの実施形態によると、無線受信機は、受信モジュール及び決定モジュールを備える。受信モジュールは、無線送信機からの物理チャネル送信を介して無線信号を受信する様に動作可能である。無線信号はトランスポートブロックに対応する。決定モジュールは、ＣＲＣビットを考慮した式を使用してＴＢＳを決定し、トランスポートブロックを取得するために無線信号を復号する様に動作可能である。
【００４９】
また、コンピュータプログラム製品も開示さる。コンピュータプログラム製品は、プロセッサによって実行されると、物理チャネル送信を介して無線送信機と無線受信機との間で通信されるトランスポートブロックのＴＢＳを決定するステップを実行する非一時的なコンピュータ可読媒体に格納された命令を含む。ＴＢＳの決定では、ＣＲＣビットを考慮した式を使用する。命令は、さらに、決定されたＴＢＳに従ってトランスポートブロックを送信するステップを実行する。
【００５０】
別のコンピュータプログラム製品は、プロセッサによって実行されると、無線送信機からの物理チャネル送信を介して無線信号を受信するステップを実行する非一時的なコンピュータ可読媒体に格納された命令を含む。無線信号はトランスポートブロックに対応する。命令は、ＣＲＣビットを考慮した式を使用してＴＢＳを決定し、トランスポートブロックを取得するために無線信号を復号するステップをさらに実行する。
【００５１】
特定の実施形態は、以下の利点の一部、総てを含むか、又はまったく含まない場合がある。特定の実施形態は、総てのコードブロックが同じサイズを有することを保証し、これによりエンコーダ及びデコーダの実装がより簡単になる。コードブロックのセグメント化の前にゼロをパディングする代わりにＴＢＳを調整することにより、例えば、フルバッファのシナリオにおいて、リソースのより効率的な使用が実現される。幾つかの実施形態は、追加の利点又は他の利点を含み得る。
【００５２】
開示する実施形態、それらの特徴及び利点の完全な理解のため、添付の図面を参照して以下に詳細な説明を行う。
【図面の簡単な説明】
【００５３】
【図１】例示的なＬＴＥスロットを示す図。
【図２】ＬＴＥスロットのバリエーション例を示す図。
【図３】２個のＯＦＤＭシンボルを持つミニスロットを示す図。
【図４】特定実施形態による例示的な無線ネットワークのブロック図。
【図５】無線送信機での例示的な方法のフロー図。
【図６】無線受信機での例示的な方法のフロー図。
【図７Ａ】無線デバイスの例示的な実施形態を示すブロック図。
【図７Ｂ】無線デバイスの例示的な構成要素を示すブロック図。
【図８Ａ】ネットワークノードの例示的な実施形態を示すブロック図。
【図８Ｂ】ネットワークノードの例示的な構成要素を示すブロック図。
【発明を実施するための形態】
【００５４】
第３世代パートナーシッププロジェクト（３ＧＰＰ）のロングタームエボリューション（ＬＴＥ）は、可能な最大のコードブロックサイズより大きいトランスポートブロックのためにコードブロックセグメント化を使用する。たとえば、ＣＲＣビットをトランスポートブロックに追加した後、トランスポートブロックが可能な最大コードブロックサイズより大きい場合、トランスポートブロックを幾つかのコードブロックにセグメント化する必要がある。ＬＴＥでの手順は、３ＧＰＰＴＳ３６．２１２Ｖ１３．２．０（２０１６−０６）セクション５．１．２で説明されている。ＮＲは、同様の手順を含み得る。
【００５５】
上述した様に、既存の解決策の問題は、ＬＴＥトランスポートブロックサイズ（ＴＢＳ）テーブルが設計されているため、コードブロックのセグメンテーションが実行されると、総てのコードブロックがセグメント化後に同じサイズになることである。このプロパティは、実装を容易にするために望ましい。ただし、上記のような式が適用される場合、このプロパティは必ずしも満たされない。
【００５６】
等しいサイズのコードブロックを実現する１つの方法は、コードブロックのセグメント化の前にトランスポートブロックをゼロで埋めることである。これは幾つかの欠点を有する。パディングされたゼロが＜ＮＵＬＬ＞としてマークされ、送信前に削除されると、コードレートが異なるコードブロックが発生し、非効率的である。パディングされたゼロが送信前に削除されない場合、無駄なビットの送信につながり、これは非効率的である。
【００５７】
特定の実施形態は、上述の問題を取り除き、総てのコードブロックが同じサイズを有することを保証するためにＴＢＳ決定のための式を修正する。特定の実施形態は、総てのコードブロックが同じサイズを有することを保証し、これによりエンコーダ及びデコーダの実装がより簡単になる。コードブロックのセグメント化の前にゼロをパディングする代わりにＴＢＳを調整することにより、リソースのより効率的な使用が実現される（例えば、フルバッファのシナリオにおいて）。
【００５８】
以下の説明では、多くの具体的な詳細を説明する。しかし、これらの特定の詳細なしで実施形態を実施できることが理解される。他の例において、この説明の理解を不明瞭にしないために、周知の回路、構造、及び、技術は詳細に示さない。含まれる説明を用いて、当業者は、過度の実験なしに適切な機能を実装することができるであろう。
【００５９】
本明細書における"一実施形態"、"実施形態"、"実施形態例"などへの言及は、説明された実施形態が特定の特徴、構造、又は、特性を含み得ることを示すが、総ての実施形態が必ずしも特定の特徴、構造、又は、特性を含むとは限らない。さらに、そのようなフレーズは必ずしも同じ実施形態を参照しているわけではない。さらに、特定の特徴、構造、又は、特性が実施形態に関して説明されている場合、他の実施形態に関連してそのような特性、構造、又は、特性を実装することは、明示的に記述されているか否かに拘わらず、当業者の知識の範囲内では提示されている。
【００６０】
特定の実施形態が図４〜８Ｂに記載され、同様の参照符号が、幾つかの図の同様及び対応する部分に使用される。ＬＴＥ及びニューレディオ（ＮＲ）が本開示全体を通して例示的なセルラシステムとして使用されるが、本明細書で提示される概念は、他の無線通信システムにも同様に適用され得る。
【００６１】
図４は、特定実施形態による例示的な無線ネットワークのブロック図である。無線ネットワーク１００は、１つ以上の無線デバイス１１０（モバイルフォン、スマートフォン、ラップトップコンピュータ、タブレットコンピュータ、ＭＴＣデバイス、又は、無線通信を提供できる任意の他のデバイス等）と、複数のネットワークノード１２０（基地局又はｅＮｏｄｅＢ等）を含む。無線デバイス１１０は、ＵＥとも呼ばれ得る。ネットワークノード１２０は、カバレッジエリア１１５（セル１１５とも呼ばれる）にサービスを提供する。
【００６２】
一般に、ネットワークノード１２０のカバレッジ内にある（たとえば、ネットワークノード１２０によってサービスされるセル１１５内にある）無線デバイス１１０は、無線信号１３０を送受信することによってネットワークノード１２０と通信する。例えば、無線デバイス１１０及びネットワークノード１２０は、音声トラフィック、データトラフィック、及び／又は、制御信号を含む無線信号１３０を通信し得る。音声トラフィック、データトラフィック、及び／又は、制御信号を無線デバイス１１０に通信するネットワークノード１２０は、無線デバイス１１０のサービングネットワークノード１２０と呼ばれ得る。無線デバイス１１０とネットワークノード１２０との間の通信は、セルラ通信と呼ばれ得る。無線信号１３０は、（ネットワークノード１２０から無線デバイス１１０への）ダウンリンク送信と（無線デバイス１１０からネットワークノード１２０への）アップリンク送信の両方を含み得る。
【００６３】
各ネットワークノード１２０は、信号１３０を無線デバイス１１０に送信するための単一の送信機又は複数の送信機を有し得る。幾つかの実施形態において、ネットワークノード１２０は、多入力多出力（ＭＩＭＯ）システムを含み得る。無線信号１３０は、１つ以上のビームを含み得る。特定のビームは、特定の方向にビームフォーミングされ得る。各無線デバイス１１０は、ネットワークノード１２０又は他の無線デバイス１１０から信号１３０を受信するための単一の受信機又は複数の受信機を有し得る。無線デバイス１１０は、無線信号１３０を含む１つ以上のビームを受信し得る。
【００６４】
無線信号１３０は、時間−周波数リソースで送信され得る。時間−周波数リソースは、図１から３で説明した様に、無線フレーム、サブフレーム、スロット、及び／又は、ミニスロットに分割され得る。ネットワークノード１２０は、サブフレーム／スロット／ミニスロットをアップリンク、ダウンリンク、又は、アップリンクとダウンリンクの組み合わせとして動的にスケジュールし得る。異なる無線信号１３０は、異なる送信処理時間を含み得る。
【００６５】
ネットワークノード１２０は、ＬＴＥスペクトルなどのライセンスされた周波数スペクトルで動作し得る。ネットワークノード１２０は、５ＧＨｚのＷｉ−Ｆｉスペクトルなどのライセンスの無い周波数スペクトルで動作し得る。ライセンスのない周波数スペクトルにおいて、ネットワークノード１２０は、ＩＥＥＥ８０２．１１アクセスポイントや端末などの他のデバイスと共存し得る。ライセンスされていないスペクトルを共有するために、ネットワークノード１２０は、無線信号１３０を送信又は受信する前に、リッスンビフォアトーク（ＬＢＴ）プロトコルを実行し得る。無線デバイス１１０はまた、ライセンスされたスペクトル又はライセンスされていないスペクトルの一方又は両方で動作し、幾つかの実施形態では、無線信号１３０を送信する前にＬＢＴプロトコルを実行し得る。ネットワークノード１２０と無線デバイス１１０の両方は、ライセンスされた共有スペクトルで動作し得る。
【００６６】
例えば、ネットワークノード１２０ａは、ライセンスされたスペクトルで動作し、ネットワークノード１２０ｂは、ライセンスされていないスペクトルで動作し得る。無線デバイス１１０は、ライセンスされたスペクトル及びライセンスされていないスペクトルの両方で動作し得る。特定の実施形態において、ネットワークノード１２０ａ及び１２０ｂは、ライセンスされたスペクトル、ライセンスされていないスペクトル、ライセンスされた共有スペクトル、又は、それらの任意の組み合わせで動作する様に構成可能であり得る。セル１１５ｂのカバレッジエリアは、セル１１５ａのカバレッジエリアに含まれる様に示されているが、特定の実施形態では、セル１１５ａ及び１１５ｂのカバレッジエリアは部分的に重複してもよく、まったく重複しなくてもよい。
【００６７】
特定の実施形態において、無線デバイス１１０及びネットワークノード１２０は、キャリアアグリゲーションを実行し得る。例えば、ネットワークノード１２０ａは、無線デバイス１１０にＰＣｅｌｌとしてサービス提供し、ネットワークノード１２０ｂは、無線デバイス１１０にＳＣｅｌｌとしてサービス提供し得る。ネットワークノード１２０は、自己スケジューリング又はクロススケジューリングを実行し得る。ネットワークノード１２０ａがライセンスされたスペクトルで動作し、ネットワークノード１２０ｂがライセンスされていないスペクトルで動作している場合、ネットワークノード１２０ａはライセンスされていないスペクトルにライセンス支援アクセス（ＬＡＡ）を提供し得る（つまり、ネットワークノード１２０ａはＬＡＡのＰＣｅｌｌであり、ネットワークノード１２０ｂはＬＡＡのＳＣｅｌｌ）。
【００６８】
特定の実施形態において、無線信号１３０は、トランスポートブロックを使用して送信され得る。トランスポートブロックは、１つ以上のコードブロックに分割され得る。ネットワークノード１２０及び無線デバイス１１０は、以下により詳細に説明される例及び実施形態のいずれかに従って、トランスポートブロックを等しいサイズのコードブロックにセグメント化し得る。
【００６９】
例えば、ネットワークノード１２０又は無線デバイス１１は、物理チャネル送信を介して無線送信機と無線受信機との間で通信されるトランスポートブロックのＴＢＳを決定し得る。ＴＢＳの決定では、ＣＲＣビットを考慮した式を使用する。ネットワークノード１１０又は無線デバイス１１０は、決定されたＴＢＳに従ってトランスポートブロックを送信し得る。特定の実施形態において、式は、凡そのトランスポートブロックサイズ、コードブロックの数、及び、トランスポートブロックに付加されたＣＲＣビットの数と、Ｃ個のコードブロックのそれぞれに付加されたＣＲＣビットの数との少なくとも１つに基づく。無線デバイス１１０及びネットワークノード１２０は、トランスポートブロックを受信するとき、同様の式を使用してＴＢＳ及び等しいサイズのコードブロックの数を決定し得る。追加の例を以下で説明する。
【００７０】
無線ネットワーク１００において、各ネットワークノード１２０は、ロングタームエボリューション（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、及び／又は、他の適切な無線アクセス技術等の適切な無線アクセス技術を使用し得る。無線ネットワーク１００は、１つ以上の無線アクセス技術の任意の適切な組み合わせを含み得る。例示目的として、特定の無線アクセス技術の文脈内で様々な実施形態が記述され得る。しかしながら、本開示の範囲はこれら例に限定されず、他の実施形態は異なる無線アクセス技術を使用することができる。
【００７１】
上述した様に、無線ネットワークの実施形態は、１つ以上の無線デバイスと、無線デバイスと通信できる１つ以上の異なる種別のネットワークノードと、を含み得る。ネットワークは、無線デバイス間、又は、無線デバイスと別の通信デバイス（固定電話など）との間の通信をサポートするのに適した任意の追加要素を含み得る。無線デバイスは、ハードウェア及び／又はソフトウェアの任意の適切な組み合わせを含み得る。例えば、特定の実施形態において、無線デバイス１１０などの無線デバイスは、以下の図７Ａに関して説明されるコンポーネントを含み得る。同様に、ネットワークノードは、ハードウェア及び／又はソフトウェアの任意の適切な組み合わせを含み得る。例えば、特定の実施形態において、ネットワークノード１２０などのネットワークノードは、以下の図８Ａに関して説明されるコンポーネントを含み得る。
【００７２】
特定の実施形態は、上述の問題を取り除き、総てのコードブロックが同じサイズを有することを保証するためにＴＢＳ決定のための式を修正する。特定の実施形態は、総てのコードブロックが同じサイズを有することを保証し、これによりエンコーダ及びデコーダの実装がより簡単になる。コードブロックのセグメンテーションの前にゼロをパディングする代わりにＴＢＳを調整することにより、リソースのより効率的な使用が実現される。
【００７３】
上記の式を考慮する。
【００７４】
【数２】
0006975839.tif 000007
【００７５】
式は次の様にも記述され得る。
【００７６】
【数３】
0006975839.tif 000008
ここで、ＴＢＳ０は、スケジューリングリソース、ＭＣＳ、及び、ＭＩＭＯ構成に従って、
ＴＢＳ０＝ＮＰＲＢ×ＮＤＬ，ＰＲＢＲＥ×ν×Ｑｍ×Ｒ
と決定される。
【００７７】
一般に、ＴＢＳ０は、望ましい近似ＴＢＳのための任意の式を使用できる。ＴＢＳ０を決定するための別の非限定的な例は、ＬＴＥのＴＢＳテーブル等のルックアップテーブルにおいてそれを見つけることである。
【００７８】
ＴＢＳ０は、コードブロックのセグメン化手順を容易にするためにわずかに調整され得る。各コードブロックセグメントのコードブロックサイズ（ＣＢＳ）が同じになる様に調整が行われるため、ＬＤＰＣコードに同じシフトサイズが使用されることが保証される。また、調整により、ＬＴＥターボコードと同様、コードブロックセグメント化においてゼロパディングが不要になる。
【００７９】
コードブロックの数Ｃが、ＬＴＥと同様に次の方法で決定されると仮定する。
コードブロックＣの合計数とＣＢＳは、一般に以下の様に決定される。
【００８０】
【数４】
0006975839.tif 000009
【００８１】
Ｉｆ  Ｃ＝１
上記において、変数Ｌ１は、ＴＢＳが閾値ＴＢＳｔｈｒｓｈより大きく、ＴＢＳｔｈｒｓｈ≦Ｚ、Ｚ＝８４４８であるときにＴＢＳに付加されるＣＲＣビット数である。Ｌ１のＣＲＣビットは、コードブロックレベルのＣＲＣビット無しに各トランスポートブロックに付加される。上記において、変数Ｚは、ＬＤＰＣエンコーダの入力で受け入れられる最大情報ブロックサイズである。Ｌ１のＣＲＣビットがＬＤＰＣエンコーダの入力に送信される前に長さＴＢＳの情報ペイロードに付加される場合、（ＴＢＳ＋Ｌ１）ビットのブロックは（ａ）ＴＢＳの情報ペイロードビットと、（ｂ）Ｌ１のＣＲＣビットで構成される。
【００８２】
ＴＢＳ＋Ｌ１≦Ｚの場合、ＴＢレベルのＣＲＣのみが付加され、コードブロックレベルのＣＲＣは付加されない。Ｌ１のＣＲＣビットは、ＴＢＳの情報ペイロードビットを保護するために生成される。
【００８３】
ｉｆ  Ｃ＞１
Ｌ２のＣＲＣビットが各トランスポートブロックに付加され、Ｌ３の追加のＣＲＣビットはセグメト化後に各ＣＢに付加される。
【００８４】
Ｌ１、Ｌ２及びＬ３の値の例は、０、８、１６、又は、２４である。Ｌ１、Ｌ２及びＬ３の幾つか又は総ては等しいかもしれない。一例において、Ｌ１＝Ｌ２＝２４（ビット）であり、Ｌ３＝１６（ビット）である。
【００８５】
非限定的な一実施形態において、ＴＢＳは以下の様に決定される。
【００８６】
【数５】
0006975839.tif 000010
【００８７】
Ａの例示的な値は８であり、これにより、ＴＢＳが８の倍数（バイトアライン）になる。ＴＢＳがバイトアラインされる必要がない場合の別の例は、Ａ＝１である。
【００８８】
上記のＴＢＳ決定をＣＢＳ決定手順と組み合わせると、ＴＢＳ０を入力とする以下の手順となる。
【００８９】
【数６】
0006975839.tif 000011
【００９０】
非限定的な別の実施形態において、ＴＢＳは以下の様に決定される。
【００９１】
【数７】
0006975839.tif 000012
【００９２】
ここで、ｌｃｍ（Ｃ，Ａ）は、ＡとＣの最小公倍数である。ＴＢＳが８の倍数になる様にするＡの例示的な値は８である。別の例は１である。
【００９３】
上記のＴＢＳ決定をＣＢＳ決定手順と組み合わせると、ＴＢＳ０を入力とする以下の手順となる。
【００９４】
【数８】
0006975839.tif 000013
【００９５】
他の非限定的な実施形態は、上記の表現の一部又は総てにおける
【００９６】
【数９】
0006975839.tif 000014
に置き換えることにより得られる。
【００９７】
図５は、特定の実施形態による、無線送信機における例示的な方法を示すフロー図である。特定の実施形態において、図５の１つ以上のステップは、図４に関して説明したネットワーク１００のネットワークノード１２０又は無線デバイス１１０によって実行され得る。
【００９８】
方法は、無線送信機が、物理チャネル送信を介して無線送信機と無線受信機との間で通信されるトランスポートブロックのＴＢＳを決定する、ステップ５１２で開始する。ＴＢＳの決定では、ＣＲＣビットを考慮した式を使用する。たとえば、ネットワークノード１２０は、ネットワークノード１２０から無線デバイス１１０に通信されるトランスポートブロックのＴＢＳを決定し得る。
【００９９】
特定の実施形態において、ＣＲＣビットは、トランスポートブロックＣＲＣビット及びコードセグメント化ＣＲＣビットのうちの少なくとも１つを含む。式は、凡そのトランスポートブロックサイズＴＢＳ０、コードブロックの数Ｃ、及び、トランスポートブロックに付加されたＣＲＣビットの数Ｌ２と、Ｃ個のコードブロックのそれぞれに付加されたＣＲＣビットの数Ｌ３との内の少なくとも１つに基づく。
【０１００】
特定の実施形態において、式は、ＴＢＳ０にトランスポートブロックに付加されたＣＲＣビットの数を加えた値と、閾値サイズＺとの比較に基づいている。ＴＢＳ０にトランスポートブロックに付加されたＣＲＣビットの数を加えた値が閾値サイズＺより大きい場合、式は、ＴＢＳ０＋Ｌ２をＣで除算し、最も近い整数に切り上げ、結果にＣを乗ずることを含む。あるいは、ＴＢＳ０にトランスポートブロックに付加されたＣＲＣビット数を加えた値が閾値サイズＺより大きい場合、式は、ＴＢＳ０＋Ｌ２をＣ×Ａで除算し、最も近い整数に切り上げ、結果にＣ×Ａを乗ずることを含み、ここで、Ａは定数である。
【０１０１】
ＴＢＳ０とトランスポートブロックに付加されたＣＲＣビットの数がしきい値サイズＺより小さい場合、式は、ＴＢＳ０＋Ｌ２をＣで除算し、最も近い整数に切り上げ、結果にＣを乗ずることを含み、Ｃ＝１である。
【０１０２】
特定の実施形態において、式は、ＴＢＳ０＋Ｌ２をＺ−Ｌ３で割り、最も近い整数に切り上げることに基づいてＣを決定することを含む。この式は、Ｌ２を減算してＴＢＳを決定することを含み得る。Ａは１と８の内の１つであり得る。Ｌ２は０、８、１６及び２４の内の１つであり得る。Ｌ３は０、８、１６及び２４の内の１つであり得る。Ｚは３８４０と８４４８の内の１つであり得る。
【０１０３】
特定の実施形態において、式は、物理リソースブロック数、物理リソースブロック当たりのリソース要素数、レイヤ数、変調次数、コードレートの１つ以上の関数に基づいて凡そのトランスポートブロックサイズを決定することにより、利用可能な送信リソースに基づいてＴＢＳ０を決定することを含む。幾つかの実施形態において、式は、送信に利用可能なシンボル数及びルックアップテーブルに基づいて凡そのトランスポートブロックサイズを決定することにより、利用可能な送信リソースに基づいてＴＢＳ０を決定することを含む。特定の実施形態において、式は上記の式のいずれかを含み得る。
【０１０４】
ステップ５１４で、無線送信機は、サイズＴＢＳのトランスポートブロックをＣ個の等しいサイズのコードブロックにセグメント化し得る。例えば、凡そのトランスポートブロックサイズにＣＲＣビットの数を加えたものが閾値よりも大きい場合、ネットワークノード１２０は、上述の式のいずれかに従ってトランスポートブロックをＣ個の等しいサイズのコードブロックにセグメント化し得る。
【０１０５】
ステップ５１６で、無線送信機は、決定されたＴＢＳに従ってトランスポートブロックを送信する。例えば、ネットワークノード１２０は、等しいサイズのＣ個のコードブロックを送信することにより、無線デバイス１１０にトランスポートブロックを送信し得る。
【０１０６】
図５の方法５００に対して修正、追加、又は、省略を行うことができる。加えて、図５の方法における１つ以上のステップは、並行して又は任意の適切な順序で実行され得る。ステップは、必要に応じて、時間毎に繰り返され得る。
【０１０７】
図６は、特定の実施形態による、無線受信機における例示的な方法を示すフロー図である。特定の実施形態において、図６の１つ以上のステップは、図４に関して説明したネットワーク１００のネットワークノード１２０又は無線デバイス１１０によって実行され得る。
【０１０８】
方法は、無線受信機が、無線送信機からの物理チャネル送信を介して無線信号を受信する、ステップ６１２で開始する。無線信号はトランスポートブロックに対応する。例えば、無線デバイス１１０は、ネットワークノード１２０から、方法５００で送信されたトランスポートブロックに対応する無線信号を受信し得る。
【０１０９】
ステップ６１４において、無線受信機はＣＲＣビットを考慮した式を使用してＴＢＳを決定する。例えば、ネットワークノード１２０は、上記の式のいずれかに従って、受信されたトランスポートブロックのＴＢＳを決定し得る。
【０１１０】
特定の実施形態において、ＣＲＣビットは、トランスポートブロックＣＲＣビット及びコードセグメント化ＣＲＣビットの内の少なくとも１つを含む。式は、凡そのトランスポートブロックサイズＴＢＳ０、コードブロックの数Ｃ、及び、トランスポートブロッに付加されたＣＲＣビットの数クＬ２と、Ｃ個のコードブロックのそれぞれに付加されたＣＲＣビットの数Ｌ３と内の少なくとも１つに基づく。
【０１１１】
特定の実施形態において、式は、ＴＢＳ０にトランスポートブロックに付加されたＣＲＣビットの数を加えた値と、閾値サイズＺとの比較に基づいている。ＴＢＳ０にトランスポートブロックに付加されたＣＲＣビットの数を加えた値が閾値サイズＺより大きい場合、式は、ＴＢＳ０＋Ｌ２をＣで除算し、最も近い整数に切り上げ、結果にＣを乗ずることを含む。あるいは、ＴＢＳ０にトランスポートブロックに付加されたＣＲＣビット数を加えた値が閾値サイズＺより大きい場合、式は、ＴＢＳ０＋Ｌ２をＣ×Ａで除算し、最も近い整数に切り上げ、結果にＣ×Ａを乗ずることを含み、ここで、Ａは定数である。
【０１１２】
ＴＢＳ０にトランスポートブロックに付加されたＣＲＣビット数を加えた値が閾値サイズＺより小さい場合、式は、定数Ａに対してＡ×ｃｅｉｌ（ＴＢＳ０／Ａ）を計算することを含み、ここで、オプションとしてＡ＝８である。
【０１１３】
特定の実施形態において、式は、ＴＢＳ０＋Ｌ２をＺ−Ｌ３で割り、最も近い整数に切り上げることに基づいてＣを決定することを含む。この式は、Ｌ２を減算してＴＢＳを決定することを含み得る。この式は、ＴＢＳをＡの倍数にするため、Ｃに定数Ａを乗算してＴＢＳを決定することを含み得る。Ａは１及び８の内の１であり得る。Ｌ２は０、８、１６及び２４の内の１つであり得る。Ｌ３は０、８、１６及び２４の内の１つであり得る。Ｚは３８４０及び８４４８の内の１つであり得る。
【０１１４】
特定の実施形態において、式は、物理リソースブロック数、物理リソースブロックあたりのリソース要素数、レイヤ数、変調次数、コードレートの１つ以上の関数に基づいて凡そのトランスポートブロックサイズを決定することにより、利用可能な送信リソースに基づいてＴＢＳ０を決定することを含む。幾つかの実施形態において、式は、送信に利用可能なシンボル数及びルックアップテーブルに基づいて凡そのトランスポートブロックサイズを決定することにより、利用可能な送信リソースに基づいてＴＢＳ０を決定することを含む。
【０１１５】
ステップ６１６で、無線受信機は、サイズＴＢＳのトランスポートブロックをＣ個の等しいサイズのコードブロックにセグメント化し得る。例えば、凡そのトランスポートブロックサイズにＣＲＣビットの数を加えたものが閾値よりも大きい場合、ネットワークノード１２０は、上述の式のいずれかに従ってトランスポートブロックをＣ個の等しいサイズのコードブロックにセグメント化し得る。
【０１１６】
ステップ６１８で、無線受信機は無線信号を復号してトランスポートブロックを取得する。例えば、無線デバイス１１０は、Ｃ個の等しいサイズのコードブロックを復号し、復号したコードブロックを結合してトランスポートブロックにすることにより、無線信号を復号し得る。
【０１１７】
図６の方法６００に対して修正、追加、又は、省略を行うことができる。加えて、図６の方法における１つ以上のステップは、並行して又は任意の適切な順序で実行され得る。ステップは、必要に応じて、時間毎に繰り返され得る。
【０１１８】
図７Ａは、無線デバイスの例示的な実施形態を示すブロック図である。無線デバイスは、図４に示される無線デバイス１１０の一例である。特定の実施形態において、無線デバイスは、上述の実施形態のいずれかに従って、トランスポートブロックを等しいサイズのコードブロックにセグメント化することができる。
【０１１９】
無線デバイスの特定例は、モバイルフォン、スマートフォン、ＰＤＡ（パーソナルデジタルアシスタント）、携帯型コンピュータ（例えば、ラップトップ、タブレット）、センサ、モデム、マシンタイプ通信（ＭＴＣ）デバイス／マシン・トゥ・マシン（Ｍ２Ｍ）デバイス、ラップトップエンベディッド装置（ＬＥＥ）、ラップトップマウンティッド装置（ＬＭＥ）、ＵＳＢドングル、Ｄ２Ｄ可能デバイス、車車間デバイス、又は、無線通信を提供できる他のデバイスを含む。無線デバイスは、送受信機１３１０と、処理回路１３２０と、メモリ１３３０と、電源１３４０と、を備えている。幾つかの実施形態において、送受信機１３１０は、（例えば、アンテナを介して）ネットワークノード１２０と、無線信号の送受信を促進し、処理回路１３２０は、無線デバイスにより提供される上述した機能の一部又は全部を提供するために、命令を実行し、メモリ１３３０は、処理回路１３２０により実行される命令を格納する。電源１３４０は、送受信機１３１０、処理回路１３２０、及び／又はメモリ１３３０などの無線デバイス１１０のコンポーネントのうちの１つ以上に電力を供給する。
【０１２０】
処理回路１３２０は、命令を実行する１つ以上の集積回路又はモジュールで実装されるハードウェア及びソフトウェアの任意の適切な組み合わせを含み、無線デバイスの記述される機能の幾つか又は総てを実行するためにデータを操作する。幾つかの実施形態において、処理回路１３２０は、例えば、１つ以上のコンピュータ、１つ以上のプログラム可能な論理デバイス、１つ以上の中央処理ユニット（ＣＰＵ）、１つ以上のマイクロプロセッサ、１つ以上のアプリケーション、及び／又は、他のロジック、及び／又は、上述したものの任意の適切な組み合わせを含み得る。処理回路１３２０は、無線デバイス１１０の記載された機能の一部又は総てを実行する様に構成されたアナログ及び／又はデジタル回路を含み得る。例えば、処理回路１３２０は、抵抗器、コンデンサ、インダクタ、トランジスタ、ダイオード、及び／又は任意の他の適切な回路コンポーネントを含み得る。
【０１２１】
メモリ１３３０は、一般に、コンピュータ実行可能コード及びデータを保存する様に動作可能である。メモリ１３３０の例は、コンピュータメモリ（例えば、ランダムアクセスメモリ（ＲＡＭ）又はリードオンリーメモリ（ＲＯＭ））、マス記憶媒体（例えば、ハードディスクドライブ）、リムーバブル記憶媒体（例えば、コンパクトディスク（ＣＤ）又はデジタルビデオディスク（ＤＶＤ））、及び／又は、情報を格納する、任意の他の揮発性若しくは不揮発性、非一時的なコンピュータ可読及び／又はコンピュータ実行可能メモリデバイスを含む。
【０１２２】
電源１３４０は、一般に、無線デバイス１１０のコンポーネントに電力を供給する様に動作可能である。電源１３４０は、リチウムイオン、リチウム空気、リチウムポリマー、ニッケルカドミウム、ニッケル金属水素化物などの任意の適切なタイプの電池、又は無線デバイスに電力を供給するための他の適切なタイプの電池を含み得る。
【０１２３】
無線デバイスの他の実施形態は、上述した任意の機能及び／又は追加の機能（上述した解決策をサポートするのに必要な任意の機能を含む）を含む、無線デバイスの機能のある態様を提供するのに責任を負う（図７Ａに示す以外の）追加のコンポーネントを含み得る。
【０１２４】
図７Ｂは、無線デバイス１１０の例示的なコンポーネントを示すブロック図である。コンポーネントは、受信モジュール１３５０、送信モジュール１３５２、及び、決定モジュール１３５４を含み得る。
【０１２５】
受信モジュール１３５０は、無線デバイス１１０の受信機能を実行し得る。例えば、受信モジュール１３５０は、等しいサイズのコードブロックにセグメント化されたトランスポートブロックを受信し得る。受信モジュール１３５０は、上記の例又は実施形態のいずれかに従って受信機能を実行し得る。特定の実施形態において、受信モジュール１３５０は、処理回路１３２０を含むか、それに含まれ得る。特定の実施形態において、受信モジュール１３５０は、送信モジュール１３５２及び決定モジュール１３５４と通信し得る。
【０１２６】
送信モジュール１３５２は、無線デバイス１１０の送信機能を実行し得る。例えば、送信モジュール１３５２は、上述の実施形態のいずれかに従って、等しいサイズのコードブロックにセグメント化されたトランスポートブロックを送信し得る。特定の実施形態において、送信モジュール１３５２は、処理回路１３２０を含むか、それに含まれ得る。特定の実施形態において、送信モジュール１３５２は、受信モジュール１３５０及び決定モジュール１３５４と通信し得る。
【０１２７】
決定モジュール１３５４は、無線デバイス１１０の決定機能を実行し得る。例えば、決定モジュール１３５４は、上記の実施形態のいずれかに従って、トランスポートブロックの等しいサイズのコードブロックを決定し得る。特定の実施形態において、決定モジュール１３５４は、処理回路１３２０を含むか、それに含まれ得る。特定の実施形態において、決定モジュール１３５４は、受信モジュール１３５０及び送信モジュール１３５２と通信し得る。
【０１２８】
図８Ａは、ネットワークノードの例示的な実施形態を示すブロック図である。ネットワークノードは、図４に示されるネットワークノード１２０の一例である。特定の実施形態において、ネットワークノードは、上述の実施形態のいずれかに従って、トランスポートブロックを等しいサイズのコードブロックにセグメント化することができる。
【０１２９】
ネットワークノード１２０は、ｅノードＢ、ノードＢ、基地局、無線アクセスポイント（例えば、Ｗｉ−Ｆｉアクセスポイント）、低電力ノード、基地トランシーバ局（ＢＴＳ）、送信ポイント若しくはノード、リモートＲＦユニット（ＲＲＵ）、リモート無線ヘッド（ＲＲＨ）、又は、その他の無線アクセスノードであり得る。ネットワークノードは、少なくとも１つの送受信機１４１０、少なくとも１つの処理回路１４２０、少なくとも１つのメモリ１４３０、及び、少なくとも１つのネットワークインタフェース１４４０を含む。送受信機１４１０は、（例えば、アンテナを介して）無線デバイス１１０と、無線信号の送受信を促進し、処理回路１４２０は、ネットワークノード１２０により提供される上述した機能の一部又は全部を提供するために、命令を実行し、メモリ１４３０は、処理回路１４２０により実行される命令を格納し、ネットワークインタフェース１４４０は、ゲートウェイ、スイッチ、ルータ、インターネット、公衆回線交換電話ネットワーク（ＰＳＴＮ）、コントローラ、及び／又は、他のネットワークノード１２０等の後方のネットワーク構成要素と信号を通信する。処理回路１４２０及びメモリ１４３０は、上記の図７Ａの処理回路１３２０及びメモリ１３３０に関して説明したものと同じタイプのものであり得る。
【０１３０】
幾つかの実施形態において、ネットワークインタフェース１４４０は、処理回路１４２０と通信可能に結合され、ネットワークノード１２０への入力を受信し、ネットワークノード１２０からの出力を送信し、入力、出力若しくは入出力の適切な処理を実行し、他のデバイスと通信し、或いは、それらの任意の組み合わせを行うことが可能な任意の適切なデバイスを参照する。ネットワークインタフェース１４４０は、ネットワークを介して通信するための、適切なハードウェア（例えば、ポート、モデム、ネットワークインタフェースカード等）と、プロトコル変換及びデータ処理能力を含むソフトウェアと、を含み得る。
【０１３１】
図８Ｂは、ネットワークノード１２０の例示的なコンポーネントを示すブロック図である。コンポーネントは、受信モジュール１４５０、送信モジュール１４５２、及び、決定モジュール１４５４を含み得る。
【０１３２】
受信モジュール１４５０は、ネットワークノード１２０の受信機能を実行し得る。例えば、受信モジュール１４５０は、上述の実施形態のいずれかに従って、等しいサイズのコードブロックにセグメント化されたトランスポートブロックを受信し得る。特定の実施形態において、受信モジュール１４５０は、処理回路１４２０を含むか、それに含まれ得る。特定の実施形態において、受信モジュール１４５０は、送信モジュール１４５２及び決定モジュール１４５４と通信し得る。
【０１３３】
送信モジュール１４５２は、ネットワークノード１２０の送信機能を実行し得る。例えば、送信モジュール１４５２は、上述の実施形態のいずれかに従って、等しいサイズのコードブロックにセグメント化されたトランスポートブロックを送信し得る。特定の実施形態において、送信モジュール１４５２は、処理回路１４２０を含むか、それに含まれ得る。特定の実施形態において、送信モジュール１４５２は、受信モジュール１４５０及び決定モジュール１４５４と通信し得る。
【０１３４】
決定モジュール１４５４は、ネットワークノード１２０の決定機能を実行し得る。例えば、決定モジュール１４５４は、上記の実施形態のいずれかに従って、トランスポートブロックの等しいサイズのコードブロックを決定し得る。特定の実施形態において、決定モジュール１４５４は、処理回路１４２０を含むか、それに含まれ得る。特定の実施形態において、決定モジュール１４５４は、受信モジュール１４５０及び送信モジュール１４５２と通信し得る。
【０１３５】
本発明の範囲を逸脱することなく、ここで述べたシステム及び装置に対する修正、追加、省略が行われ得る。システム及び装置のコンポーネントは、統合又は分離され得る。さらに、システム及び装置の動作は、より多くの、より少ない、或いは、他のコンポーネントで実行され得る。さらに、システム及び装置の動作は、ソフトウェア、ハードウェア、及び／又は、他のロジックを含む任意の適切な論理回路を使用して実現され得る。本開示で使用する"各"は、セットの各要素、又は、セットのサブセットの各要素を参照している。
【０１３６】
第１ノードと第２ノードは、２つのノードと呼ばれ得る。第１ノードの例は、より一般的な用語であり、ＵＥ及び／又は別のネットワークノードと通信する任意のタイプの無線ネットワークノード又は任意のネットワークノードに対応するネットワークノードであり得る。ネットワークノードの例は、ＮｏｄｅＢ、基地局（ＢＳ）、ＭＳＲ  ＢＳ等のマルチスタンダード無線（ＭＳＲ）無線ノード、ｅＮｏｄｅＢ、ｇＮｏｄｅＢ、ＭｅＮＢ、ＳｅＮＢ、ネットワークコントローラ、無線ネットワークコントローラ（ＲＮＣ）、基地局コントローラ（ＢＳＣ）、リレー、リレーを制御するドナーノード、ベーストランシーバーステーション（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（ＭＳＣ、ＭＭＥなど）、Ｏ＆Ｍ、ＯＳＳ、ＳＯＮ、位置決めノード（Ｅ−ＳＭＬＣなど）、ＭＤＴ等である。
【０１３７】
ノードの別の例はユーザ装置であり、これは非限定的な用語のユーザ装置（ＵＥ）であり、ネットワークノード及び／又はセルラ又はモバイル通信システム内の別のＵＥと通信する任意のタイプのワイヤレスデバイスを示す。ＵＥの例は、ターゲットデバイス、デバイス・トゥ・デバイス（Ｄ２Ｄ）ＵＥ、マシンタイプＵＥ若しくはマシン・トゥ・マシン（Ｍ２Ｍ）通信が可能なＵＥ、ＰＤＡ、ＰＡＤ、タブレット、移動端末、スマートフォン、ラップトップエンベディッドイクイップド（ＬＥＥ）、ラップトップに実装された装置（ＬＭＥ）、ＵＳＢドングル等である。
【０１３８】
幾つかの実施形態において、一般的な用語"無線ネットワークノード"、或いは、単に、"ネットワークノード（ＮＷノード）"も使用される。それらは、基地局、無線基地局、基地トランシーバ局、基地局制御装置、ネットワーク制御装置、発展型ノードＢ（ｅＮＢ）、ノードＢ、中継ノード、アクセスポイント、無線アクセスポイント、リモート無線ユニット（ＲＲＵ）リモート無線ヘッド（ＲＲＨ）などを含み得る任意種別のネットワークノードであり得る。
【０１３９】
本発明では、上述のノードのいずれかが"第１ノード"及び／又は"第２ノード"になる可能性がある。
【０１４０】
無線アクセス技術又はＲＡＴとの用語は、ＵＴＲＡ、Ｅ−ＵＴＲＡ、狭帯域のＩｏＴ（ＮＢ−ＩｏＴ）、ＷｉＦｉ、Ｂｌｕｅｔｏｏｔｈ、次世代ＲＡＴ（ＮＲ）、４Ｇ、５Ｇなどの任意のＲＡＴを示し、第１ノードと第２ノードは、いずれも、単一又は複数のＲＡＴをサポートできる。
【０１４１】
次のリストは、提案されたソリューションの特定の側面を実装する方法の非限定的な例を示す。これらの例は、提案された解決策の特定の側面を実装する方法を説明することを目的としているが、提案された解決策は他の適切な方法で実装することもできる。例は以下のものを含む。
【０１４２】
１：結果のコードブロックが総て同じサイズになる様にトランスポートブロックをセグメント化する無線送信機で使用する方法は、
次の式に従ってトランスポートブロックを調整することと、
【０１４３】
【数１０】
0006975839.tif 000015
【０１４４】
次の式に従ってコードブロックサイズを決定することと、を含む。
【０１４５】
【数１１】
0006975839.tif 000016
【０１４６】
２：結果のコードブロックが総て同じサイズになる様にトランスポートブロックをセグメント化する無線送信機で使用する方法は、
次の式に従ってトランスポートブロックを調整することと、
【０１４７】
【数１２】
0006975839.tif 000017
【０１４８】
次の式に従ってコードブロックサイズを決定することと、を含む。
【０１４９】
【数１３】
0006975839.tif 000018
【０１５０】
３：実施形態１−２のいずれか１つの方法であって、Ａ＝８である。
【０１５１】
４：実施形態１−２のいずれか１つの方法であって、Ａ＝１である。
【０１５２】
５：実施形態１−４のいずれか１つの方法を実行する様に動作可能な処理回路を有するネットワークノード。
【０１５３】
６：実施形態１−４のいずれか１つの方法を実行する様に動作可能な処理回路を有する無線デバイス。
【０１５４】
７：実施形態１−４のいずれかの方法を少なくとも１つのプログラム可能プロセッサに実行させるためのコンピュータ可読命令を含むコンピュータプログラム。
【０１５５】
本発明の範囲を逸脱することなく、ここで述べた方法に対する修正、追加、省略が行われ得る。方法は、より多くの、より少ない、或いは、他のステップを含み得る。さらに、ステップは、任意の適切な順序で実行され得る。
【０１５６】
本開示について、ある実施形態により記述したが、当業者には、実施形態の変更及び組み合わせが明らかである。よって、実施形態の上述した説明は、本開示を拘束しない。以下の特許請求の範囲で定義される本開示の精神及び範囲から逸脱することなく、他の変更、置換、変形が可能である。
【０１５７】
上記説明で使用した略語は以下のものを含む。
３ＧＰＰ：第３世代パートナーシッププロジェクト
ＢＢＵ：ベースバンドユニット
ＢＴＳ：ベーストランシーバ局
ＣＣ：コンポーネントキャリア
ＣＱＩ：チャネル品質情報
ＣＳＩ：チャネル状態情報
Ｄ２Ｄ：デバイス・トゥ・デバイス
ＤＦＴ：離散フーリエ変換
ｅＮＢ：ｅノードＢ
ＦＤＤ：周波数分割複信
ｇＮＢ：次世代ノードＢ
ＬＡＡ：ライセンスド支援アクセス
ＬＢＴ：リッスンビフォアトーク
ＬＴＥ：ロングタームエボリューション
ＬＴＥ−Ｕ：アンライセンスドスペクトラムのＬＴＥ
Ｍ２Ｍ：マシン・トゥ・マシン
ＭＩＭＯ：多入力多出力
ＭＴＣ：マシン型通信
ＮＲ：ニューレディオ
ＯＦＤＭ：直交周波数分割多重
ＲＡＮ：無線アクセスネットワーク
ＲＡＴ：無線アクセス技術
ＲＢＳ：無線基地局
ＲＮＣ：無線ネットワークコントローラ
ＲＲＣ：無線リソース制御
ＲＲＨ：リモート無線ヘッド
ＲＲＵ：リモート無線ユニット
ＳＣｅｌｌ：セカンダリセル
ＴＢ：トランスポートブロック
ＴＢＳ：トランスポートブロックサイズ
ｓＴＴＩ：ショートＴＴＩ
ＴＤＤ：時分割複信
ＴＴＩ：送信時間間隔
ＵＥ：ユーザ装置
ＵＬ：上りリンク
ＵＴＲＡＮ：汎用地上無線アクセスネットワーク
ＷＡＮ：無線アクセスネットワーク
【図１】
0006975839.tif 000019
【図２】
0006975839.tif 000020
【図３】
0006975839.tif 000021
【図４】
0006975839.tif 000022
【図５】
0006975839.tif 000023
【図６】
0006975839.tif 000024
【図７Ａ】
0006975839.tif 000025
【図７Ｂ】
0006975839.tif 000026
【図８Ａ】
0006975839.tif 000027
【図８Ｂ】
0006975839.tif 000028